(57)【要約】【課題】アルミ手摺用支柱の堅牢化とスリム化を同時に実現するとともにアルミ手摺用支柱への雨水の浸入による錆の発生をも防止するアルミ手摺用支柱及びその取付構造を提供する。【解決手段】アルミ押出型材からなり、内部の長手方向全域に棒ねじ１０を螺合させて挿入するとともに、棒ねじ１０の一端部１０ａを所定長さだけ外部に突出させてなるアルミ手摺用支柱３、及び内部の長手方向全域に棒ねじ２５を螺合させて挿入するとともに、棒ねじ２５の一端部２５ａを所定長さだけ外部に突出させてなる内筒体２３を、アルミ押出型材からなり、所定の中空断面形状を有する外筒体２２の内部の長手方向全域に挿入して固定具を介して一体に固定し、棒ねじ２５の一端部２５ａを所定長さだけ外筒体２２から突出させてなるアルミ手摺用支柱２１と、アルミ手摺用支柱３，２１をベランダの立ち上がり部等のコンクリート製の躯体１に支持するための取付構造を提供する。【選択図】図５
2010090572.tif 000002
【特許請求の範囲】
【請求項１】
アルミ押出型材からなり、内部の長手方向全域に棒ねじを螺合させて挿入するとともに、棒ねじの一端部を所定長さだけ外部に突出させてなることを特徴とするアルミ手摺用支柱。
【請求項２】
アルミ押出型材からなり、内部の長手方向全域に棒ねじを螺合させて挿入するとともに、棒ねじの一端部を所定長さだけ外部に突出させてなる内筒体を、アルミ押出型材からなり、所定の中空断面形状を有する外筒体の内部の長手方向全域に挿入して固定具を介して一体に固定し、棒ねじの一端部を所定長さだけ外筒体から突出させてなることを特徴とするアルミ手摺用支柱。
【請求項３】
アルミ押出型材からなり、所定の中空断面形状の外筒部の内部に、内周面の全域に雌ねじを刻設した中空の内筒部を長手方向の全域にわたって一体に形成し、外周面の全域に雄ねじが刻設されて外筒部より長さの長い棒ねじを内筒部の雌ねじに螺合させて内筒部の長手方向の全域に挿入して一体に固定するとともに、棒ねじの一端部を所定長さだけ内筒部から突出させてなることを特徴とするアルミ手摺用支柱。
【請求項４】
アルミ押出型材からなり、内周面の長手方向全域に雌ねじを刻設するとともに、外周面の長手方向全域にリブを張り出し形成した中空の内筒体に、外周面の長手方向全域に雄ねじが刻設されて内筒体より長さの長い棒ねじを内筒体の雌ねじに螺合させて内筒体の長手方向の全域に挿入して一体に固定するとともに、棒ねじの一端部を所定長さだけ内筒体から突出させてなる挿入補強体を、アルミ押出型材からなり、所定の中空断面形状を有して内筒体と同一長さの外筒体の内部に、内筒体のリブが密接するように挿入し、固定具を介して一体に固定し、棒ねじの一端部を所定長さだけ外筒体から突出させてなることを特徴とするアルミ手摺用支柱。
【請求項５】
アルミ押出型材からなる手摺用の支柱をベランダの立ち上がり部等のコンクリート製の躯体に支持するための取付構造であって、  
アルミ押出型材からなり、内部の長手方向全域に棒ねじを螺合させて挿入するとともに、棒ねじの一端部を所定長さだけ外部に突出させてなるアルミ手摺用支柱を使用し、外部に突出させた棒ねじを躯体の支柱の取付位置に穿設された支持穴に接着剤を介して埋設・固定することを特徴とするアルミ手摺用支柱の取付構造。
【請求項６】
アルミ押出型材からなる手摺用の支柱をベランダの立ち上がり部等のコンクリート製の躯体に支持するための取付構造であって、  
アルミ押出型材からなり、内部の長手方向全域に棒ねじを螺合させて挿入するとともに、棒ねじの一端部を所定長さだけ外部に突出させてなる内筒体を、アルミ押出型材からなり、所定の中空断面形状を有する外筒体の内部の長手方向全域に挿入して固定具を介して一体に固定し、棒ねじの一端部を所定長さだけ外筒体から突出させてなるアルミ手摺用支柱を使用し、外筒体から突出させた棒ねじの一端部を躯体の支柱の取付位置に穿設された支持穴に接着剤を介して埋設・固定することを特徴とするアルミ手摺用支柱の取付構造。
【請求項７】
アルミ押出型材からなる手摺用の支柱をベランダの立ち上がり部等のコンクリート製の躯体に支持するための取付構造であって、  
アルミ押出型材からなり、所定の中空断面形状の外筒部の内部に、内周面の全域に雌ねじを刻設した中空の内筒部を長手方向の全域にわたって一体に形成し、外周面の全域に雄ねじが刻設されて外筒部より長さの長い棒ねじを内筒部の雌ねじに螺合させて内筒部の長手方向の全域に挿入して一体に固定するとともに、棒ねじの一端部を所定長さだけ内筒部から突出させてなるアルミ手摺用支柱を使用し、内筒部から突出させた棒ねじの一端部を躯体の支柱の取付位置に穿設された支持穴に接着剤を介して埋設・固定することを特徴とするアルミ手摺用支柱の取付構造。
【請求項８】
アルミ押出型材からなる手摺用の支柱をベランダの立ち上がり部等のコンクリート製の躯体に支持するための取付構造であって、  
アルミ押出型材からなり、内周面の長手方向全域に雌ねじを刻設するとともに、外周面の長手方向全域にリブを張り出し形成した中空の内筒体に、外周面の長手方向全域に雄ねじが刻設されて内筒体より長さの長い棒ねじを内筒体の雌ねじに螺合させて内筒体の長手方向の全域に挿入して一体に固定するとともに、棒ねじの一端部を所定長さだけ内筒体から突出させてなる挿入補強体を、アルミ押出型材からなり、所定の中空断面形状を有して内筒体と同一長さの外筒体の内部に、内筒体のリブが密接するように挿入し、固定具を介して外筒体と内筒体を一体に固定し、棒ねじの一端部を所定長さだけ外筒体から突出させてなるアルミ手摺用支柱を使用し、外筒体から突出させた棒ねじの一端部を躯体の支柱の取付位置に穿設された支持穴に接着剤を介して埋設・固定することを特徴とするアルミ手摺用支柱の取付構造。
【請求項９】
固定具を外筒体の外周面から内筒体に向けて貫通させることにより、外筒体と内筒体を一体に固定するとともに、固定具の先端部が内筒体の内周面に形成された凹部に位置して、棒ねじの外周に接触しないようにした請求項８記載のアルミ手摺用支柱の取付構造。
【発明の詳細な説明】
【技術分野】
【０００１】
本発明はアルミ押出型材からなる手摺用の支柱を建築物や構築物のベランダや屋上、階段の立ち上がり部等のコンクリート製の躯体に支持するためのアルミ手摺用支柱及びその取付構造に関し、特にはアルミ手摺用支柱の堅牢化とスリム化を同時に実現するとともに、アルミ手摺用支柱への雨水の浸入による錆の発生をも防止するものである。
【背景技術】
【０００２】
建築物のベランダ等における転落防止用の手摺や間仕切り用の手摺としては、アルミ押出型材からなる各種の手摺が多用されており、ベランダ等のコンクリート製の躯体に複数のアルミ手摺用支柱を支持固定し、該アルミ手摺用支柱間に各種の縦桟，横桟，フェンス等を組み付け、天部に笠木を配置して構成されている。
【０００３】
躯体へのアルミ手摺用支柱の取付構造として各種の構造が提供されており、例えば、支柱アンカーの下部側に溶接したアンカー鉄筋を躯体の支柱取付位置に穿設した支持穴に接着剤を介して固定し、この支柱アンカーを中空状のアルミ手摺用支柱の下端部に挿入して両者をビス止めする構成が知られている（特許文献１）。また、近時は内部に形成されたボルトねじ込み筒を介してアルミ手摺用支柱の下端部にアンカーボルトの一端部をねじ込んで固定し、他端部をアルミ手摺用支柱から突出させ、この他端部を躯体の支柱取付位置に穿設した支持穴に接着剤を介して固定する手段も提供されている（特許文献２）。
【特許文献１】特開平１１−２７００９２号
【特許文献２】特開２００５−２２６３７６号
【発明の開示】
【発明が解決しようとする課題】
【０００４】
転落防止用の手摺としては、先ず第一に長期間にわたる堅牢性が求められるとともに、手摺りを握ったり、もたれたりして荷重がかかった際にも揺動等が少なく安心感を持って使用できることが求められている。特許文献１にかかるアルミ手摺用支柱では、防錆メッキを施した鋼材からなる支柱アンカーやアンカー鉄筋と支柱の下端部とをビス止めしているため、ビスによって防錆メッキ層が剥がれ、又経年使用により防錆効果が薄れるため、ビス止め部から侵入した雨水等によって、錆が発生して見映えが悪くなるとともに、手摺としての強度と安全性に悪影響を与えることとなる。また、強度には支障がないとしても錆の発生によって使用者が安心感をもって使用することができなくなる。
【０００５】
特許文献２にかかるアルミ手摺用支柱では、アンカーボルトはアルミ手摺用支柱の下端部に固定されているのでみであり、設計強度は満たすとしても、アルミ手摺用支柱は少なくとも１１５０ｍｍ程度の高さを必要とするため、アンカーボルトの挿通されていないアルミ手摺用支柱の上部では荷重がかかった際に揺動を感じることとなる。また、アンカーボルトは単にボルトねじ込み筒に挿通されているのみであって、両者は一体に結合されておらず、引き抜き方向の荷重がかかった場合にアンカーボルトからアルミ手摺用支柱が抜落するおそれもある。特許文献１にかかるアルミ手摺用支柱においても支柱アンカーは支柱の下端部にのみ挿入されて、アルミ手摺用支柱とビス止めしているのみであるため、揺動を生じるおそれがあるとともに、引き抜き方向の荷重がかかった場合に支柱アンカーからアルミ手摺用支柱が抜落するおそれもある。
【０００６】
また、特許文献２にかかるアルミ手摺用支柱では、ボルトねじ込み筒にアンカーボルトの一端をねじ込む構成ではあるが、ボルトねじ込み筒の内周壁に雌ねじが刻設されているわけではなく、アンカーボルトの直径より僅かに小さい内径を有するボルトねじ込み筒にアンカーボルトを圧入するものであり、両者が一体化しているわけではなく、経年使用によって緩みが生じるおそれがある。更に、各種のアルミ手摺も近時は建築物の外観を印象づけるエクステリアとして見映えのよいものが好まれる傾向にある。
【０００７】
そこで、本発明は上記従来の問題点に鑑みて、使用時の揺動が少なく、引き抜き方向の荷重に耐える堅牢性を有して、長期間安心して使用できるとともに、スリム化を実現することのできるアルミ手摺用支柱及びその取付構造を提供することを目的とする。
【課題を解決するための手段】
【０００８】
本発明は上記目的を達成するために、アルミ押出型材からなり、内部の長手方向全域に棒ねじを螺合させて挿入するとともに、棒ねじの一端部を所定長さだけ外部に突出させてなるアルミ手摺用支柱、及びアルミ押出型材からなり、内部の長手方向全域に棒ねじを螺合させて挿入するとともに、棒ねじの一端部を所定長さだけ外部に突出させてなる内筒体を、アルミ押出型材からなり、所定の中空断面形状を有する外筒体の内部の長手方向全域に挿入して固定具を介して一体に固定し、棒ねじの一端部を所定長さだけ外筒体から突出させてなるアルミ手摺用支柱を基本として提供する。
【０００９】
より具体的には、アルミ押出型材からなり、所定の中空断面形状の外筒部の内部に、内周面の全域に雌ねじを刻設した中空の内筒部を長手方向の全域にわたって一体に形成し、外周面の全域に雄ねじが刻設されて外筒部より長さの長い棒ねじを内筒部の雌ねじに螺合させて内筒部の長手方向の全域に挿入して一体に固定するとともに、棒ねじの一端部を所定長さだけ内筒部から突出させてなる構成、及びアルミ押出型材からなり、内周面の長手方向全域に雌ねじを刻設するとともに、外周面の長手方向全域にリブを張り出し形成した中空の内筒体に、外周面の長手方向全域に雄ねじが刻設されて内筒体より長さの長い棒ねじを内筒体の雌ねじに螺合させて内筒体の長手方向の全域に挿入して一体に固定するとともに、棒ねじの一端部を所定長さだけ内筒体から突出させてなる挿入補強体を、アルミ押出型材からなり、所定の中空断面形状を有して内筒体と同一長さの外筒体の内部に、内筒体のリブが密接するように挿入し、固定具を介して一体に固定し、棒ねじの一端部を所定長さだけ外筒体から突出させてなる構成を提供する。
【００１０】
そして、アルミ押出型材からなる手摺用の支柱をベランダの立ち上がり部等のコンクリート製の躯体に支持するための取付構造であって、アルミ押出型材からなり、内部の長手方向全域に棒ねじを螺合させて挿入するとともに、棒ねじの一端部を所定長さだけ外部に突出させてなるアルミ手摺用支柱を使用し、外部に突出させた棒ねじを躯体の支柱の取付位置に穿設された支持穴に接着剤を介して埋設・固定する構造、アルミ押出型材からなり、内部の長手方向全域に棒ねじを螺合させて挿入するとともに、棒ねじの一端部を所定長さだけ外部に突出させてなる内筒体を、アルミ押出型材からなり、所定の中空断面形状を有する外筒体の内部の長手方向全域に挿入して固定具を介して一体に固定し、棒ねじの一端部を所定長さだけ外筒体から突出させてなるアルミ手摺用支柱を使用し、外筒体から突出させた棒ねじの一端部を躯体の支柱の取付位置に穿設された支持穴に接着剤を介して埋設・固定する構造を提供する。
【００１１】
また、アルミ押出型材からなる手摺用の支柱をベランダの立ち上がり部等のコンクリート製の躯体に支持するための取付構造であって、アルミ押出型材からなり、所定の中空断面形状の外筒部の内部に、内周面の全域に雌ねじを刻設した中空の内筒部を長手方向の全域にわたって一体に形成し、外周面の全域に雄ねじが刻設されて外筒部より長さの長い棒ねじを内筒部の雌ねじに螺合させて内筒部の長手方向の全域に挿入して一体に固定するとともに、棒ねじの一端部を所定長さだけ内筒部から突出させてなるアルミ手摺用支柱を使用し、内筒部から突出させた棒ねじの一端部を躯体の支柱の取付位置に穿設された支持穴に接着剤を介して埋設・固定する構造を提供する。
【００１２】
更に、アルミ押出型材からなる手摺用の支柱をベランダの立ち上がり部等のコンクリート製の躯体に支持するための取付構造であって、アルミ押出型材からなり、内周面の長手方向全域に雌ねじを刻設するとともに、外周面の長手方向全域にリブを張り出し形成した中空の内筒体に、外周面の長手方向全域に雄ねじが刻設されて内筒体より長さの長い棒ねじを内筒体の雌ねじに螺合させて内筒体の長手方向の全域に挿入して一体に固定するとともに、棒ねじの一端部を所定長さだけ内筒体から突出させてなる挿入補強体を、アルミ押出型材からなり、所定の中空断面形状を有して内筒体と同一長さの外筒体の内部に、内筒体のリブが密接するように挿入し、固定具を介して外筒体と内筒体を一体に固定し、棒ねじの一端部を所定長さだけ外筒体から突出させてなるアルミ手摺用支柱を使用し、外筒体から突出させた棒ねじの一端部を躯体の支柱の取付位置に穿設された支持穴に接着剤を介して埋設・固定する構造を提供する。また、固定具を外筒体の外周面から内筒体に向けて貫通させることにより、外筒体と内筒体を一体に固定するとともに、固定具の先端部が内筒体の内周面に形成された凹部に位置して、棒ねじの外周に接触しないようにする。
【発明の効果】
【００１３】
上記構成の本発明によれば、アルミ手摺用支柱の長手方向の全域に棒ねじを螺合させて挿入してあるため両者が一体化し、中空のアルミ押出型材からなるアルミ手摺用支柱の強度が増し、アルミ手摺用支柱を従来より大幅にスリム化することが可能である。また、内筒体の長手方向の全域に棒ねじを螺合させて挿入してある挿入補強体を中空のアルミ押出型材からなる外筒体に挿入して一体に固定してあるため、その強度を増すことができる。そして、アルミ手摺用支柱から突出している棒ねじの一端部を躯体の支柱の取付位置に穿設された支持穴に接着剤を介して埋設・固定することにより、アルミ手摺用支柱を取付ることができ、躯体からアルミ手摺用支柱の先端まで棒ねじが躯体及びアルミ手摺用支柱と一体化しているため、経年使用してもアルミ手摺用支柱が揺動することが少なく、引き抜き方向の大きな荷重がかかった場合に棒ねじからアルミ手摺用支柱の外筒体が抜落することがない。
【００１４】
また、アルミ手摺用支柱の全域に棒ねじが螺合して挿入されているため、使用時の揺動が少なく、引き抜き方向の荷重に耐える堅牢性を有して、長期間安心して使用できる。棒ねじは雌ねじと雄ねじの螺合によって一体化されているため、棒ねじの固定のためにビス等の固定具を使用する必要がなく、従来のように棒ねじのメッキ層がビス等によって剥離し、雨水等の浸入によって剥離部分から錆が発生することがなく、長期間に亘って美麗な外観を保持することができる。更に、挿入補強体をビス等によって外筒体に固定する場合にあっても、ビス等は外筒体と内筒体を貫通し、内筒体の凹部に位置するため、ビス等の先端部が棒ねじの外周面に接触することがなく、棒ねじのメッキ層を剥離することがない。
【発明を実施するための最良の形態】
【００１５】
以下図面に基づいて本発明にかかるアルミ手摺用支柱及びその取付構造の最良の実施形態を説明する。図１２は建築物や構築物のベランダや屋上、階段の立ち上がり部等のコンクリート製の躯体１上に設置された手摺２の正面図である。手摺２は躯体１上に所定間隔を空けて立設された複数のアルミ手摺用支柱３と、複数のアルミ手摺用支柱３間の下端部に横架された横桟４と、アルミ手摺用支柱３の上端部に横架された化粧用の笠木５と、横桟４と笠木５との間に所定間隔で配置された縦桟６を主要な構成要素としている。また、縦桟６に代えて、各種のボードやガラス板等の部材が用途に応じて使用される。
【００１６】
図１は本発明にかかるアルミ手摺用支柱及びその取付構造の第１実施形態を示す要部縦断面図である。アルミ手摺用支柱３は所定の中空断面形状を有する外筒部７と、外筒部７の内部に一体に形成された内筒部８からなる筒状体９と、内筒部８に螺合させた棒ねじ１０とから構成されている。
【００１７】
図２は筒状体９の長手方向の端面図、図３は図２のＡ−Ａ部分縦断面図である。図に示すように、筒状体９はアルミ押出型材からなり、所定の断面形状（図示例では矩形状）を有する外筒部７の内部に、内周面の全域に雌ねじ１１を刻設した中空の内筒部８を長手方向の全域にわたって一体に形成してある。１２ａ，１２ｂは外筒部７と内筒部８との間に形成された中空部であり、１３は外筒部７の内周側の四隅部近傍に形成された設置されたビス孔である。
【００１８】
内筒部８の内周面の全域には雌ねじ１１が刻設されており、この雌ねじ１１に、外周面の全域に雄ねじ１４が刻設されて外筒部７より長さの長い棒ねじ１０を内筒部８の雌ねじ１１に螺合させて内筒部８の長手方向の全域に挿入して一体に固定するとともに、棒ねじ１０の一端部１０ａを所定長さだけ内筒部８から突出させてアルミ手摺用支柱３とする。図４は、内筒部８に棒ねじ１０を螺合したアルミ手摺用支柱３の端面図である。
【００１９】
筒状体９は１１５０ｍｍ〜１２００ｍｍ程度の高さ寸法を必要とする。そこで、内筒部８に雌ねじ１１を刻設する際の穿設加工及び雄ねじ１４を雌ねじ１１に螺合する作業をスムースに行うため、内筒部８の内周面には、図２に示すように所定間隔で半径方向への凹部１５ａ，１５ｂが長手方向全域に切削形成されている。凹部１５ａと凹部１５ｂは周方向の寸法を異にするものであり、図示例では凹部１５ａを線対称の位置に合計４個、凹部１５ｂを線対称の位置に合計２個形成されている。
【００２０】
このアルミ手摺用支柱３をベランダの立ち上がり部等のコンクリート製の躯体１に取付るには、躯体１のアルミ手摺用支柱３の取付位置に、棒ねじ１０を挿入することのできる直径と深さを有する支持穴１６を穿設し、この支持穴１６にエポキシ樹脂やアクリル系接着剤等の適宜の接着剤１７を充填する。そして、接着剤１７の中に内筒部８から突出させた棒ねじ１０の一端部１０ａを埋設して接着剤１７の固化により、図５に示すようにアルミ手摺用支柱３を躯体１の取付位置に垂直に立設する。そして、必要本数のアルミ手摺用支柱３を躯体１上の取付位置に立設した後に、図１２に示すように、複数のアルミ手摺用支柱３間の下端部に横桟４を横架し、アルミ手摺用支柱３の上端部に、笠木受５ａをビス孔１３を介してビスにより固定し、その上に化粧用の笠木５を固定して横架し、更に横桟４と笠木５との間に所定間隔で縦桟６を配置して手摺２が完成する。
【００２１】
この第１実施形態では、棒ねじ１０が内筒部８の長手方向全域に螺合して一体化することによりアルミ手摺用支柱３の強度が向上しているため、外筒部７の幅Ｗを２６ｍｍ、長さＬを５０ｍｍとすることができ、従来の幅５０ｍｍ×長さ５０ｍｍ程度のアルミ手摺用支柱よりも幅寸法を略半分の２６ｍｍに大幅にスリム化することができて、強度とともに見映えが向上する。また、取付られたアルミ手摺用支柱３の高さ寸法Ｈ１は１１５０ｍｍ〜１２００ｍｍ程度であり、笠木５部分の高さＨ２は４０〜４５ｍｍ程度、躯体１の支持穴１６に埋設する棒ねじ１０の一端部１０ａの高さ寸法Ｈ３は１００ｍｍ程度である。
【００２２】
図６は本発明にかかるアルミ手摺用支柱及びその取付構造の第２実施形態を示す要部縦断面図である。この第２実施形態では、アルミ手摺用支柱２１は、内部の長手方向全域に棒ねじ２５を螺合させて挿入した内筒体２３からなる挿入補強体２４を所定の中空断面形状を有する外筒体２２に挿入固定して構成されている。
【００２３】
図７は挿入補強体２４の内筒体２３を外筒体２２に挿入した状態の長手方向の端面図、図８は図７のＢ−Ｂ部分縦断面図である。図に示すように、内筒体２３はアルミ押出型材からなり、内周面の長手方向全域に雌ねじ２６を刻設するとともに、内周面の対称位置の２箇所に半径方向への凹部２７が長手方向全域に貫通して形成されている。また、内筒体２３の外周面の四隅部の長手方向全域には直行する方向に２面が連結された鉤型状のリブ２８が張り出し形成されている。そして、外周面の長手方向全域に雄ねじ２９が刻設されて内筒体２３より長さの長い棒ねじ２５を内筒体２３の雌ねじ２６に螺合させて内筒体２３の長手方向の全域に挿入して一体に固定するとともに、棒ねじ２５の一端部２５ａを所定長さだけ内筒体２３から突出させて挿入補強体２４を構成している。
【００２４】
この挿入補強体２４を、図１０に示すように所定の中空断面形状を有して内筒体２３と同一長さの外筒体２２の内部に、内筒体２３のリブ２８が密接するように挿入する。即ち、図に示すように外筒体２２の内周側の四隅部近傍には９０度変移して、それぞれ２個ずつのビス孔３２が突設されており、外筒体２２に挿入された内筒体２３の鉤型のリブ２８の直交する２面がそれぞれビス孔に密接する。そして、図９に示すように、ビス３０等の固定具を外筒体２２の外周面から内筒体２３を貫通させて凹部２７に至るように締結し、外筒体２２と内筒体２３を一体に固定することによりアルミ手摺用支柱２１とする。このとき、ビス３０の先端は凹部２７内に位置するため、ビス３０が棒ねじ２５のメッキ層を損傷することがなく、外筒体２２及び内筒体２３はアルミ押出型材からなるため、ビス３０の貫通部分から経年使用によって雨水等が浸入しても外筒体２２や内筒体２３は錆びることがなく、又棒ねじ２５もメッキ層に守られて錆びることがない。３１ａ，３１ｂは外筒体２２と内筒体２３との間に形成された中空部である。
【００２５】
内筒体２３は１１５０ｍｍ〜１２００ｍｍ程度の高さ寸法を必要とする。そこで、内筒体２３に雌ねじ２６を刻設する際の穿設加工及び雄ねじ２９を雌ねじ２６に螺合する作業をスムースに行うため、内筒体２３の内周面には、図７に示すように対称位置の２箇所に半径方向への凹部３３が長手方向全域に切削形成されている。
【００２６】
このアルミ手摺用支柱２１をベランダの立ち上がり部等のコンクリート製の躯体１に取付るには、躯体１のアルミ手摺用支柱２１の取付位置に、棒ねじ２５を挿入することのできる直径と深さを有する支持穴１６を穿設し、この支持穴１６にエポキシ樹脂やアクリル系接着剤等の適宜の接着剤１７を充填する。そして、接着剤１７の中に内筒体２３から突出させた棒ねじ２５の一端部２５ａを埋設して接着剤１７の固化により、アルミ手摺用支柱２１を図１１に示すように躯体１の取付位置に垂直に立設する。所定数のアルミ手摺用支柱２１を躯体１上の所定の取付位置に立設した後、第１実施形態と同様の手順で手摺を構築する。
【００２７】
この第２実施形態では、外筒体２２とは別体の挿入補強体２４を外筒体２２に挿入固定する構成であるため、外筒体２２としては、図７に示すように幅Ｗ１を５０ｍｍ、長さＬ１を５０ｍｍ程度の既存のアルミ手摺用支柱を使用することができるため、既存のアルミ手摺用支柱の強度を大幅に向上させることができる。また、取り付けられたアルミ手摺用支柱２１の高さ寸法Ｈ１は、第１実施形態と同様に１１５０ｍｍ〜１２００ｍｍ程度であり、笠木５部分の高さＨ２は４０〜４５ｍｍ程度、躯体１の支持穴１６に埋設する棒ねじ２５の一端部２５ａの高さ寸法Ｈ３は１００ｍｍ程度である。
【産業上の利用可能性】
【００２８】
本発明によれば、アルミ手摺用支柱の長手方向の全域に棒ねじを螺合させて挿入してあるため両者が一体化し、中空のアルミ押出型材からなるアルミ手摺用支柱の強度が増し、アルミ手摺用支柱を従来より大幅にスリム化することが可能である。また、内筒体の長手方向の全域に棒ねじを螺合させて挿入してある挿入補強体を中空のアルミ押出型材からなる外筒体に挿入して一体に固定してあるため、その強度を増すことができる。そして、アルミ手摺用支柱から突出している棒ねじの一端部を躯体の支柱の取付位置に穿設された支持穴に接着剤を介して埋設・固定することにより、アルミ手摺用支柱を取り付けることができ、躯体からアルミ手摺用支柱の先端まで棒ねじが躯体及びアルミ手摺用支柱と一体化しているため、経年使用してもアルミ手摺用支柱が揺動することが少なく、引き抜き方向の大きな荷重がかかった場合に棒ねじからアルミ手摺用支柱の外筒体が抜落することがない。
【００２９】
また、アルミ手摺用支柱の全域に棒ねじが螺合して挿入されているため、使用時の揺動が少なく、引き抜き方向の荷重に耐える堅牢性を有して、長期間安心して使用できる。また、棒ねじは雌ねじと雄ねじの螺合によって一体化されているため、棒ねじの固定のためにビス等の固定具を使用する必要がなく、従来のように棒ねじのメッキ層がビス等によって剥離し、雨水等の浸入によって剥離部分から錆が発生することがなく、長期間に亘って美麗な外観を保持することができる。更に、挿入補強体をビス等によって外筒体に固定する場合にあっても、ビス等は外筒体と内筒体を貫通し、内筒体の凹部に位置するため、ビス等の先端部が棒ねじの外周面に接触することがなく、棒ねじのメッキ層を剥離することがない。
【図面の簡単な説明】
【００３０】
【図１】発明にかかるアルミ手摺用支柱及びその取付構造の第１実施形態を示す要部縦断面図。
【図２】筒状体の長手方向の端面図。
【図３】図２のＡ−Ａ部分縦断面図。
【図４】アルミ手摺用支柱の端面図。
【図５】アルミ手摺用支柱の取付状態を示す斜視図。
【図６】発明にかかるアルミ手摺用支柱及びその取付構造の第２実施形態を示す要部縦断面図。
【図７】挿入補強体の長手方向の端面図。
【図８】図７のＢ−Ｂ部分縦断面図。
【図９】アルミ手摺用支柱の端面図。
【図１０】アルミ手摺用支柱の取付状態を示す組立図。
【図１１】アルミ手摺用支柱の取付状態を示す斜視図。
【図１２】手摺の正面図。
【符号の説明】
【００３１】
１…躯体
２…手摺
３，２１…アルミ手摺用支柱
４…横桟
５…笠木
５ａ…笠木受
６…縦桟
７…外筒部
８…内筒部
９…筒状体
１０，２５…棒ねじ
１１，２６…雌ねじ
１２ａ，１２ｂ，３１ａ，３１ｂ…中空部
１３，３２…ビス孔
１４，２９…雄ねじ
１５ａ，１５ｂ，２７，３３…凹部
１６…支持穴
１７…接着剤
２２…外筒体
２３…内筒体
２４…挿入補強体
２８…リブ
【図１】
2010090572.tif 000003
【図２】
2010090572.tif 000004
【図３】
2010090572.tif 000005
【図４】
2010090572.tif 000006
【図５】
2010090572.tif 000007
【図６】
2010090572.tif 000008
【図７】
2010090572.tif 000009
【図８】
2010090572.tif 000010
【図９】
2010090572.tif 000011
【図１０】
2010090572.tif 000012
【図１１】
2010090572.tif 000013
【図１２】
2010090572.tif 000014